(57)【要約】  ワイヤレス通信方法、装置、およびシステムが提供される。装置は、第１のチャネルを受信し、かつ／または第２のチャネルを送信する第１のノードにおいて、第１のチャネルを受信する受信部と、第２のチャネルを送信する送信部と、第１のチャネルおよび第２のチャネルのうちの少なくとも１つの特性に応じて、第１のチャネルおよび第２のチャネルのうちの短縮されるべき少なくとも１つの少なくとも一部を決定し、決定に応じて、第１のチャネルおよび第２のチャネルのうちの少なくとも１つの少なくとも一部を短縮する回路とを備える。
2019527993.tif 000002
【特許請求の範囲】
【請求項１】
第１のチャネルを受信し、かつ／または第２のチャネルを送信する第１のノードにおいて、
前記第１のチャネルを受信する受信機と、
前記第２のチャネルを送信する送信機と、
前記第１のチャネルおよび前記第２のチャネルのうちの少なくとも１つの特性に応じて、前記第１のチャネルおよび前記第２のチャネルのうちの短縮されるべき少なくとも１つの少なくとも一部を決定し、前記決定に応じて、前記第１のチャネルおよび前記第２のチャネルのうちの前記少なくとも１つの前記少なくとも一部を短縮する回路と
を備える装置。
【請求項２】
前記第１のチャネルおよび前記第２のチャネルの前記特性に応じて、前記第１のチャネルおよび前記第２のチャネルに優先度が割り当てられ、
前記回路は、
前記第１のチャネルおよび前記第２のチャネルのうちの１つが前記第１のチャネルおよび前記第２のチャネルのうちの他の１つよりも低い優先度を割り当てられた場合、前記第１のチャネルおよび前記第２のチャネルのうちの前記１つの一部が短縮されると判断し、前記第１のチャネルおよび前記第２のチャネルのうちの前記他の１つの一部が短縮されないと判断し、または、
前記第１のチャネルおよび前記第２のチャネルのうちの１つが前記第１のチャネルおよび前記第２のチャネルのうちの他の１つよりも低い優先度を割り当てられた場合、前記第１のチャネルおよび前記第２のチャネルのうちの前記１つの長い部分が短縮されると判断し、前記第１のチャネルおよび前記第２のチャネルのうちの前記他の１つの短い部分が短縮されると判断する、
請求項１に記載の装置。
【請求項３】
前記第１のチャネルおよび前記第２のチャネルの前記特性は、前記第１のチャネルおよび前記第２のチャネルのタイプを含む、
請求項２に記載の装置。
【請求項４】
前記第１のチャネルおよび前記第２のチャネルの前記タイプは、ランダムアクセスチャネル（ＲＡＣＨ）、参照信号（ＲＳ）を含むチャネル、制御チャネル、物理共有チャネル（ＰＳＣＨ）のうちの少なくとも１つを含む、
請求項３に記載の装置。
【請求項５】
前記ＰＳＣＨの優先度は前記制御チャネルの優先度よりも低く、前記制御チャネルの前記優先度は、衝突が起こり得る部分にＲＳを含む前記チャネルの優先度よりも低く、衝突が起こり得る部分にＲＳを含む前記チャネルの前記優先度は、前記ＲＡＣＨの優先度よりも低い、
請求項４に記載の装置。
【請求項６】
前記第１のチャネルおよび前記第２のチャネルの前記特性は、前記第１のチャネルおよび前記第２のチャネルの送信時間間隔（ＴＴＩ）長を含む、
請求項２に記載の装置。
【請求項７】
より長いＴＴＩ長を有する前記第１のチャネルおよび前記第２のチャネルのうちの１つに、より短いＴＴＩ長を有する前記第１のチャネルおよび前記第２のチャネルのうちの他の１つよりも低い優先度が割り当てられる、
請求項６に記載の装置。
【請求項８】
前記第１のチャネルおよび前記第２のチャネルの前記特性は、前記第１のチャネルおよび前記第２のチャネルの符号化率を含む、
請求項２に記載の装置。
【請求項９】
より低い符号化率を有する前記第１のチャネルおよび前記第２のチャネルのうちの１つに、より高い符号化率を有する前記第１のチャネルおよび前記第２のチャネルのうちの他の１つよりも低い優先度が割り当てられる、
請求項８に記載の装置。
【請求項１０】
前記第１のチャネルおよび前記第２のチャネルの前記特性は、前記第１のチャネルおよび前記第２のチャネルのタイプ、前記第１のチャネルおよび前記第２のチャネルのＴＴＩ長、および、前記第１のチャネルおよび前記第２のチャネルの符号化率のうちの少なくとも２つの組み合わせを含む、
請求項２に記載の装置。
【請求項１１】
前記回路は、
前記第１のチャネルおよび前記第２のチャネルの前記タイプに応じて、前記第１のチャネルおよび前記第２のチャネルのうちの短縮されるべき少なくとも１つの少なくとも一部を決定し、
前記第１のチャネルおよび前記第２のチャネルの前記タイプが等しい場合、前記第１のチャネルおよび前記第２のチャネルの前記ＴＴＩ長に応じて、前記第１のチャネルおよび前記第２のチャネルのうちの短縮されるべき少なくとも１つの少なくとも一部を決定し、
前記第１のチャネルおよび前記第２のチャネルの前記ＴＴＩ長が等しい場合、前記第１のチャネルおよび前記第２のチャネルの前記符号化率に応じて、前記第１のチャネルおよび前記第２のチャネルのうちの短縮されるべき少なくとも１つの少なくとも一部を決定する、
請求項１０に記載の装置。
【請求項１２】
前記回路は、前記第２のチャネルの終端部分が短縮されると判断する、
請求項１に記載の装置。
【請求項１３】
前記第２のチャネルの送信を開始するタイミングは、前記第１のチャネルの受信を完了するタイミングに基づく、
請求項１２に記載の装置。
【請求項１４】
前記第２のチャネルの送信を開始する前記タイミングは前記第１のチャネルの受信を完了する前記タイミングである、または、前記第２のチャネルの送信を開始する前記タイミングと前記第１のチャネルの受信を完了する前記タイミングとの間の時間間隔がしきい値よりも短い、
請求項１３に記載の装置。
【請求項１５】
前記回路は、
前記第１のノードから送信されるべき次のデータが存在しない場合、前記第１のチャネルの終端部分が短縮されないと判断すること、および
前記第１のノードで受信されるべき次のデータが存在しないと前記第１のノードが通知された場合、前記第２のチャネルの終端部分が短縮されないと判断すること、
のうちの少なくとも１つを実行する、
請求項１に記載の装置。
【請求項１６】
前記受信機は、第２のノードから前記第１のチャネルを受信し、前記送信機は、第３のノードに前記第２のチャネルを送信し、
前記第１のノードはユーザ機器（ＵＥ）およびｅＮＢ（evolved Node B）のうちの１つであり、前記第２のノードはＵＥおよびｅＮＢのうちの１つであり、前記第３のノードはＵＥおよびｅＮＢのうちの１つである、
請求項１に記載の装置。
【請求項１７】
前記第１のチャネルは、ダウンリンクチャネル、アップリンクチャネル、およびサイドリンクチャネルのうちの１つであり、前記第２のチャネルは、ダウンリンクチャネル、アップリンクチャネル、およびサイドリンクチャネルのうちの１つである、
請求項１に記載の装置。
【請求項１８】
前記回路は、
前記決定に応じて、前記第１のチャネルおよび前記第２のチャネルのうちの前記少なくとも１つの前記少なくとも一部をパンクチャリングすること、または、
前記決定に応じて、前記第１のチャネルおよび前記第２のチャネルのうちの前記少なくとも１つの前記少なくとも一部をレートマッチングすること、
のうちの少なくとも１つを実行する、
請求項１に記載の装置。
【請求項１９】
第１のチャネルを受信し、かつ／または第２のチャネルを送信する第１のノードにおいて、
プロセッサと、
前記プロセッサによって実行されると、
前記第１のチャネルおよび前記第２のチャネルのうちの少なくとも１つの特性に応じて、前記第１のチャネルおよび前記第２のチャネルのうちの短縮されるべき少なくとも１つの少なくとも一部を決定するステップと、
前記決定に応じて、前記第１のチャネルおよび前記第２のチャネルのうちの前記少なくとも１つの前記少なくとも一部を短縮するステップと、
を実行するコンピュータ実行可能命令を記憶するメモリと、
を備えるシステム。
【請求項２０】
第１のチャネルを受信し、かつ／または第２のチャネルを送信する第１のノードにおいて、
前記第１のチャネルおよび前記第２のチャネルのうちの少なくとも１つの特性に応じて、前記第１のチャネルおよび前記第２のチャネルのうちの短縮されるべき少なくとも１つの少なくとも一部を決定するステップと、
前記決定に応じて、前記第１のチャネルおよび前記第２のチャネルのうちの前記少なくとも１つの前記少なくとも一部を短縮するステップと、
を備えるワイヤレス通信方法。
【発明の詳細な説明】
【技術分野】
【０００１】
本技術は、ワイヤレス通信分野に関し、より詳細には、ワイヤレス通信方法、装置、およびシステムに関する。
【背景技術】
【０００２】
ワイヤレス通信分野では、ユーザ機器ユニット（ＵＥ）としても知られているエンドユーザの無線またはワイヤレスの端末は、無線アクセスネットワーク（ＲＡＮ：Radio Access Network）などのワイヤレスネットワークを介して、「ｅノードＢ」（ｅＮＢ）とも呼ばれる無線基地局（ＲＢＳ：Radio Base Station）と通信する。無線アクセスネットワーク（ＲＡＮ）は、セル領域に分割された地理的領域をカバーし、各セル領域は無線基地局によってサービスされる。
【０００３】
ＵＭＴＳ（Universal Mobile Telecommunications System）は、ＧＳＭ（Global System for Mobile Communications）（登録商標）から進化した第３世代モバイル通信システムである。ＵＴＲＡＮ（UMTS Terrestrial Radio Access Network）は、ＵＥと基地局との間の通信に広帯域符号分割多元接続（Ｗ−ＣＤＭＡ：Wideband code division multiple access）を使用する無線アクセスネットワークである。
【０００４】
３ＧＰＰ（the 3rd Generation Partnership Project）は、ＵＴＲＡＮおよびＧＳＭベースの無線アクセスネットワーク技術をさらに進化させることに着手している。ＬＴＥ（Long Term Evolution）は、３ＧＰＰ無線アクセス技術の変形形態である。一般に、ＬＴＥシステムでは、無線ネットワークコントローラ（ＲＮＣ：Radio Network Controller）ノードの機能は、ＬＴＥの仕様でｅノードＢまたはｅＮＢと呼ばれる無線基地局ノードとＡＧＷとの間で分散される。
【０００５】
ノード、例えば、ＵＥのような無線端末、およびＬＴＥなどのセルラシステムにおける別のノード、例えば、ｅＮＢのような基地局からの送信および受信は、周波数領域もしくは時間領域、またはそれらの組み合わせで多重化することができる。ＦＤＤ（Frequency Division Duplex）システムでは、（ｅノードＢからＵＥへの）ダウンリンク（ＤＬ）送信および（ＵＥからｅノードＢへの）アップリンク（ＵＬ）送信は、十分に分離された異なる周波数帯域で行われる。ＦＤＤ動作の場合、アップリンク送信（ＵＬ）用の１つおよびダウンリンク送信（ＤＬ）用の１つの２つの搬送周波数（キャリア周波数）が存在する。ＦＤＤの場合、各１０ｍｓ間隔で、１０個のサブフレームがダウンリンク送信に利用可能であり、１０個のサブフレームがアップリンク送信に利用可能である。アップリンク送信およびダウンリンク送信は、周波数領域において分離される。ＦＤＤは、全二重または半二重のいずれかであり得る。全二重ＦＤＤ動作では、ＵＥは同時に送受信することができる。半二重ＦＤＤ動作では、全二重ＦＤＤにはない制限として、ＵＥが同時に送受信することができない。ＴＤＤ（Time Division Duplex）では、ダウンリンク送信およびアップリンク送信は、異なる重複しないタイムスロットで行われる。
【０００６】
通常、通信システムにおける送信信号は、何らかの形式のフレーム構造で構成される。例えば、ＬＴＥのＴＤＤは、図１に示すように、無線フレームあたり１ミリ秒の長さの１０個の等しいサイズのサブフレーム０〜９を使用する。長さTf=307200・Ts=10msの各無線フレームは、各々の長さ153600・Ts=5msの２つのハーフフレームから構成される。各ハーフフレームは、長さ30720・Ts=1msの５つのサブフレームから構成される。各サブフレームiは、各々の長さTslot=15360・Ts=0.5msの２つのスロット2iおよび2i+1として定義される。フレームnfの中のサブフレームiは、絶対サブフレーム番号nsfabs=10nf+iを有する。nfはシステムフレーム番号である。セル内のアップリンク−ダウンリンク設定（uplink-downlink configuration）は、サブフレームのアップリンク送信またはダウンリンク送信が現在のフレームで行われ得るフレーム間および制御間で異なってもよい。
【０００７】
図１に示すように、ＴＤＤスペシャルサブフレーム（special subframe）は、ダウンリンク部分（ＤｗＰＴＳ）、ガード期間（ＧＰ：Guard Period）、およびアップリンク部分（ＵｐＰＴＳ）の３つの部分に分割される。残りのサブフレームは、アップリンク送信またはダウンリンク送信に割り当てられる。ＤｗＰＴＳ、ＧＰ、およびＵｐＰＴＳの合計の長さは30720・Ts=1msに等しい。サブフレーム０および５ならびにＤｗＰＴＳは、ダウンリンク送信用に常に確保されている。ＵｐＰＴＳおよびスペシャルサブフレームの直後のサブフレームは、アップリンクリンク送信用に常に確保されている。
【０００８】
ガード期間（ＧＰ）は、ＤＬ−ＵＬ切替えのために、図１に示すようにＴＤＤスペシャルフレーム構造内で定義され、同じセル内のすべてのＵＥに対して共通である。ガード期間の主な目的は、ＵＥ側でのＤＬ受信とＵＬ送信との間の衝突を回避することである。ガード期間がない場合には、図２に示すように、ＵＥ側でのＤＬ受信とＵＬ送信との間に何らかの衝突が存在するはずである。
【０００９】
現在、ＮＲ（New Radio access technology）に関連するフレーム構造、デュプレックスなどに関する多くの問題が議論中である。ダイナミックＴＤＤまたはフレキシブルデュプレックスをサポートすることは、多数意見に基づく望ましい機能である。その場合、保護期間はサポートされるべき１つの必要な機能である。
【００１０】
現在の仕様では、上述したように、例えば、ガード期間についていくつかの定義が既に存在している。
【００１１】
ＴＤＤでは、（以下の表１に示すように）ＧＰの長さが異なるスペシャルサブフレームについて、いくつかの設定（configuration）が存在する。各設定のＧＰは、同じセル内のすべてのＵＥに共通である。スペシャルサブフレーム内のアップリンクチャネルは、データ（ＰＵＳＣＨ）送信には使用されない。そのため、この場合、ダウンリンクチャネルが常に処理される（レートマッチングされる）。
【表１】
2019527993.tif 000003
【００１２】
3GPP TS36.211の6.2.5節では、ガード期間も半二重ＦＤＤ向けに定義されている、「タイプＡの半二重ＦＤＤ動作の場合、ガード期間は、同じＵＥからのアップリンクサブフレームの直前のダウンリンクサブフレームの最後の部分を受信しないことにより、ＵＥによって作成される」。
【００１３】
上記の２つのケースでは、ダウンリンクチャネルは、ＤＬ−ＵＬ切替えのためのガード期間を容易にするために常に処理される（パンクチャリング／レートマッチングされる）。
【００１４】
したがって、ダウンリンク送信とアップリンク送信との間の最小限の干渉および衝突無しを維持ながら、ワイヤレス通信システムにおけるダウンリンクとアップリンクとの間を切り替えるための改善された技法が必要とされる。
【発明の概要】
【発明が解決しようとする課題】
【００１５】
１つの非限定的かつ例示的な実施形態は、ワイヤレス通信システムにおけるダウンリンクとアップリンクとの間を切り替えるための改善された技法を提供する。
【課題を解決するための手段】
【００１６】
１つの一般的な態様では、第１のチャネルを受信し、かつ／または第２のチャネルを送信する第１のノードにおいて、ワイヤレス通信方法が提供され、方法は、第１のチャネルおよび第２のチャネルのうちの少なくとも１つの特性に応じて、第１のチャネルおよび第２のチャネルのうちの短縮されるべき少なくとも１つの少なくとも一部を決定するステップと、前記決定に応じて、第１のチャネルおよび第２のチャネルのうちの少なくとも１つの少なくとも一部を短縮するステップとを備える。
【００１７】
別の一般的な態様では、第１のチャネルを受信し、かつ／または第２のチャネルを送信する第１のノードにおいて、第１のチャネルおよび第２のチャネルのうちの少なくとも１つの特性に応じて、第１のチャネルおよび第２のチャネルのうちの短縮されるべき少なくとも１つの少なくとも一部を決定する決定ユニットと、前記決定に応じて、第１のチャネルおよび第２のチャネルのうちの少なくとも１つの少なくとも一部を短縮する短縮ユニットとを備える装置が提供される。
【００１８】
別の一般的な態様では、第１のチャネルを受信し、かつ／または第２のチャネルを送信する第１のノードにおいて、プロセッサと、プロセッサによって実行されると、第１のチャネルおよび第２のチャネルのうちの少なくとも１つの特性に応じて、第１のチャネルおよび第２のチャネルのうちの短縮されるべき少なくとも１つの少なくとも一部を決定するステップと、前記決定に応じて、第１のチャネルおよび第２のチャネルのうちの少なくとも１つの少なくとも一部を短縮するステップとを実行するコンピュータ実行可能命令を記憶するメモリとを備えるシステムが提供される。
【００１９】
一般的または具体的な実施形態は、システム、方法、集積回路、コンピュータプログラム、記憶媒体、またはそれらの任意の選択的な組み合わせとして実装されてもよいことに留意されたい。
【００２０】
開示された実施形態のさらなる利益および利点は、明細書および図面から明らかになる。利益および／または利点は、明細書および図面の様々な実施形態および特徴によって個別に取得されてもよく、それらは、そのような利益および／または利点のうちの１つまたは複数を取得するためにすべて提供される必要はない。
【図面の簡単な説明】
【００２１】
【図１】ＴＤＤシステムにおける例示的なフレーム構造タイプを示す図である。
【図２】ＤＬ受信およびＵＬ送信における衝突の一例を示す図である。
【図３】本開示の実施形態に係る、ワイヤレス通信方法のフローチャートである。
【図４】本開示の別の実施形態に係る、図３に示されたワイヤレス通信方法の決定ステップのフローチャートである。
【図５Ａ】第１のノードが第１のチャネルを受信し、かつ／または第２のチャネルを送信する１つのシナリオを概略的に示す図である。
【図５Ｂ】第１のノードが第１のチャネルを受信し、かつ／または第２のチャネルを送信する別のシナリオを概略的に示す図である。
【図５Ｃ】ＵＥ／ｅＮＢがＵＥ／ｅＮＢから第１のチャネルを受信し、かつ／またはＵＥ／ｅＮＢに第２のチャネルを送信する１つのシナリオを概略的に示す図である。
【図５Ｄ】ＵＥ／ｅＮＢがＵＥ／ｅＮＢから第１のチャネルを受信し、かつ／またはＵＥ／ｅＮＢに第２のチャネルを送信する別のシナリオを概略的に示す図である。
【図５Ｅ】ＵＥ／ｅＮＢがアップリンク、ダウンリンク、サイドリンクのチャネルのうちの１つをＵＥ／ｅＮＢから受信し、かつ／またはアップリンク、ダウンリンク、サイドリンクのチャネルのうちの１つをＵＥ／ｅＮＢに送信する１つのシナリオを概略的に示す図である。
【図５Ｆ】ＵＥ／ｅＮＢがアップリンク、ダウンリンク、サイドリンクのチャネルのうちの１つをＵＥ／ｅＮＢから受信し、かつ／またはアップリンク、ダウンリンク、サイドリンクのチャネルのうちの１つをＵＥ／ｅＮＢに送信する１つのシナリオを概略的に示す図である。
【図５Ｇ】ＵＥ／ｅＮＢがアップリンク、ダウンリンク、サイドリンクのチャネルのうの１つをＵＥ／ｅＮＢから受信し、かつ／またはアップリンク、ダウンリンク、サイドリンクのチャネルのうちの１つをＵＥ／ｅＮＢに送信する１つのシナリオを概略的に示す図である。
【図５Ｈ】ＵＥ／ｅＮＢがアップリンク、ダウンリンク、サイドリンクのチャネルのうちの１つをＵＥ／ｅＮＢから受信し、かつ／またはアップリンク、ダウンリンク、サイドリンクのチャネルのうちの１つをＵＥ／ｅＮＢに送信する１つのシナリオを概略的に示す図である。
【図５Ｉ】ＵＥ／ｅＮＢがアップリンク、ダウンリンク、サイドリンクのチャネルのうちの１つをＵＥ／ｅＮＢから受信し、かつ／またはアップリンク、ダウンリンク、サイドリンクのチャネルのうちの１つをＵＥ／ｅＮＢに送信する１つのシナリオを概略的に示す図である。
【図５Ｊ】ＵＥ／ｅＮＢがアップリンク、ダウンリンク、サイドリンクのチャネルのうちの１つをＵＥ／ｅＮＢから受信し、かつ／またはアップリンク、ダウンリンク、サイドリンクのチャネルのうちの１つをＵＥ／ｅＮＢに送信する１つのシナリオを概略的に示す図である。
【図５Ｋ】ＵＥ／ｅＮＢがアップリンク、ダウンリンク、サイドリンクのチャネルのうちの１つをＵＥ／ｅＮＢから受信し、かつ／またはアップリンク、ダウンリンク、サイドリンクのチャネルのうちの１つをＵＥ／ｅＮＢに送信する１つのシナリオを概略的に示す図である。
【図６】本開示の第１の実施形態を説明するための概略図である。
【図７】本開示の第２の実施形態を説明するための概略図である。
【図８】本開示の第３の実施形態を説明するための概略図である。
【図９】本開示の第４の実施形態を説明するための概略図である。
【図１０】本開示の実施形態に係る、ワイヤレス通信装置のブロック図である。
【図１１】本開示の実施形態に係る、ワイヤレス通信システムのブロック図である。
【発明を実施するための形態】
【００２２】
次に、通信方法、装置、およびシステムに関する図３〜図６を参照して、実施形態が記載される。本技術は、多くの異なる形態で、かつ多くの異なる順序で具現化されてもよく、本明細書に記載された実施形態に限定されると解釈されるべきではないことが理解されよう。むしろ、これらの実施形態は、本開示が完全かつ完璧であり、当業者に本技術を完全に伝えるように提供される。実際、本技術は、添付の特許請求の範囲によって規定される技術の範囲および趣旨内に含まれる、これらの実施形態の代替物、改変物、および等価物を包含するものである。さらに、本技術の以下の発明を実施するための形態では、本技術の完全な理解を提供するために、多くの具体的な詳細が記載される。しかしながら、そのような具体的な詳細なしに本技術が実践され得ることは、当業者には明らかであろう。
【００２３】
方法のステップおよび構成要素の構造の順序は、本明細書では、限定目的ではなく、例示目的のために提供される。前述の技術の詳細説明は、例示および説明の目的で提示されている。包括的であること、または開示された正確な形式に技術を限定することを意図するものではない。上記の教示に照らして、多くの修正形態および変形形態が可能である。記載された実施形態は、技術の原理およびその実際的な適用を最もよく説明し、それにより当業者が様々な実施形態において技術を最もよく利用するために選ばれ、様々な修正形態は考察される特定の用途に適している。技術の範囲は、本明細書に添付された特許請求の範囲によって規定されることが意図されている。
【００２４】
図３は、本開示の実施形態に係る、ワイヤレス通信方法３００のフローチャートを示す。
【００２５】
図３に示すように、第１のチャネルを受信し、かつ／または第２のチャネルを送信する第１のノードにおいて、ワイヤレス通信方法３００は、第１のチャネルおよび第２のチャネルのうちの少なくとも１つの特性に応じて、第１のチャネルおよび第２のチャネルのうちの短縮されるべき少なくとも１つの少なくとも一部を決定するステップＳ３０１と、前記決定に応じて、第１のチャネルおよび第２のチャネルのうちの少なくとも１つの少なくとも一部を短縮するステップＳ３０２とを備える。
【００２６】
このように、本実施形態によれば、固定チャネルの固定部分を固定的に短縮することなく、第１のチャネルおよび第２のチャネルのうちの少なくとも１つの特性に応じて、第１のチャネルおよび第２のチャネルのうちの短縮されるべき少なくとも１つの少なくとも一部を動的に決定することが可能であり、それにより、第１のチャネルと第２のチャネルとの間の干渉または衝突が回避される。
【００２７】
「第１のチャネルおよび第２のチャネルのうちの少なくとも１つの少なくとも一部」の表現は、以下のケース：（１）第１のチャネルの一部のみ、（２）第２のチャネルの一部のみ、（３）第１のチャネルの全体のみ、（４）第２のチャネルの全体のみ、（５）第１のチャネルの一部および第２のチャネルの一部、（６）第１のチャネルの一部および第２のチャネルの全体、（７）第１のチャネルの全体および第２のチャネルの一部、（８）第１のチャネルの全体および第２のチャネルの全体のいずれか１つまたは任意の組み合わせを含むことに留意されたい。
【００２８】
一般的に言えば、第１のチャネルおよび第２のチャネルのうちの短縮されるべき少なくとも１つの少なくとも一部の全長は、第１のチャネルと第２のチャネルとの間の起こり得る衝突の全長と実質的に等しいか、またはそれを超えるべきである。第１のチャネルと第２のチャネルとの間の起こり得る衝突の全長は、第１のノードからの送信から第２のノードにおける受信までの遅延時間、または第２のノードからの送信から第１のノードにおける受信までの遅延時間に基づいて計算することができる。
【００２９】
一実施形態では、第１のチャネルおよび第２のチャネルは、第１のチャネルおよび第２のチャネルの特性に応じて優先度を割り当てられてもよい。ステップＳ３０１は、第１のチャネルおよび第２のチャネルのうちの１つが第１のチャネルおよび第２のチャネルのうちの他の１つよりも低い優先度を割り当てられた場合、第１のチャネルおよび第２のチャネルのうちの１つの一部が短縮されると判断し、第１のチャネルおよび第２のチャネルのうちの他の１つの一部が短縮されないと判断するステップ、または第１のチャネルおよび第２のチャネルのうちの１つが第１のチャネルおよび第２のチャネルのうちの他の１つよりも低い優先度を割り当てられた場合、第１のチャネルおよび第２のチャネルのうちの１つの長い部分が短縮されると判断し、第１のチャネルおよび第２のチャネルのうちの他の１つの短い部分が短縮されると判断するステップを含む。
【００３０】
このように、第１のチャネルおよび第２のチャネルにはそれぞれ優先度が割り当てられる。その結果、優先度が低いチャネルの一部を短縮することができ、優先度が高い他方のチャネルは短縮されずに維持される。または、優先度が低いチャネルの長い部分を短縮することができ、優先度が高い他方のチャネルの短い部分を短縮することができる。よって、優先度が高い他方のチャネルの情報を失うことなく、優先度の高い他方のチャネルの全体または一部を確保することができる。
【００３１】
一実施形態では、第１のチャネルおよび第２のチャネルの特性は、第１のチャネルおよび第２のチャネルのタイプを含んでもよい。
【００３２】
一実施形態では、第１のチャネルおよび第２のチャネルのタイプは、ランダムアクセスチャネル（ＲＡＣＨ：Random Access Channel）、参照信号（ＲＳ：Reference Signal）を含むチャネル、制御チャネル、物理共有チャネル（ＰＳＣＨ：Physical Shared Channel）などのうちの少なくとも１つを含んでもよい。ＰＳＣＨは、３ＧＰＰ規格で定義されたＰＤＳＣＨまたはＰＵＳＣＨとして、ユーザトラフィックまたはユーザデータ／情報を送信するために使用される。
【００３３】
一実施形態では、ＰＳＣＨの優先度は制御チャネルの優先度よりも低く、制御チャネルの優先度は、衝突が起こり得る部分にＲＳを含むチャネルの優先度よりも低く、衝突が起こり得る部分にＲＳを含むチャネルの優先度は、ＲＡＣＨの優先度よりも低い。ここで、衝突が起こり得る部分にＲＳを含むチャネルは、パンクチャリングまたはレートマッチングされることが必要な場合があり、衝突が起こり得る部分である、第１のチャネルの終わりまたは第２のチャネルの始めにおいてＲＳが送信されることを意味する。ＲＳはチャネル内の他の位置に含まれる場合があるので、衝突が起こり得る部分にＲＳを含まない場合、そのようなチャネルはＰＳＣＨとして扱うことができるが、衝突が起こり得る部分にＲＳを含むチャネルとして扱うことはできない。衝突が起こり得る部分にＲＳを含まない場合、ＲＳはパンクチャリングまたはレートマッチングされないので、そのようなＲＳを保護する必要はない。
【００３４】
このように、ＲＡＣＨチャネルは、衝突が起こり得る部分にＲＳを含むチャネルよりも重要であるとして扱うことができる。また、衝突が起こり得る部分にＲＳを含むチャネルは制御チャネルよりも重要であるとして扱うことができる。また、制御チャネルはＰＳＣＨチャネルよりも重要であるとして扱うことができる。その結果、より重要なチャネルは、短縮されることなく、または過剰に短縮されることなく維持され、より重要なチャネルのすべての情報または多くの情報を失うことを回避できる。
【００３５】
一実施形態では、第１のチャネルおよび第２のチャネルの特性は、第１のチャネルおよび第２のチャネルの送信時間間隔（ＴＴＩ：Transmission Time Interval）長を含んでもよい。ＴＴＩは、無線リンクレイヤ上での送信のために、上位レイヤからのデータをフレームにカプセル化することに関連するパラメータである。ＴＴＩは、無線リンク上の独立して復号可能な送信の長さを指す。ＴＴＩは、上位ネットワークレイヤから無線リンクレイヤに渡されるデータブロックのサイズに関連する。
【００３６】
一実施形態では、より長いＴＴＩ長を有する第１のチャネルおよび第２のチャネルのうちの１つは、より短いＴＴＩ長を有する第１のチャネルおよび第２のチャネルのうちの他の１つよりも低い優先度を割り当てられてもよい。
【００３７】
このように、より短いＴＴＩ長を有するチャネルは、より長いＴＴＩ長を有するチャネルよりも重要であるとして扱うことができる。その結果、より重要なチャネルは、短縮されることなく、または過剰に短縮されることなく維持され、より重要なチャネルのすべての情報または多すぎる情報を失うことを回避できる。
【００３８】
一実施形態では、第１のチャネルおよび第２のチャネルの特性は、第１のチャネルおよび第２のチャネルの符号化率を含んでもよい。
【００３９】
一実施形態では、より低い符号化率を有する第１のチャネルおよび第２のチャネルのうちの１つは、より高い符号化率を有する第１のチャネルおよび第２のチャネルのうちの他の１つよりも低い優先度を割り当てられてもよい。
【００４０】
このように、より高い符号化率を有するチャネルは、より低い符号化率を有するチャネルよりも重要であるとして扱うことができる。その結果、より重要なチャネルは、短縮されることなく、または過剰に短縮されることなく維持され、より重要なチャネルのすべての情報または多すぎる情報を失うことを回避できる。
【００４１】
別の実施形態では、第１のチャネルおよび第２のチャネルの特性は、第１のチャネルおよび第２のチャネルのタイプ、第１のチャネルおよび第２のチャネルのＴＴＩ長、および、第１のチャネルおよび第２のチャネルの符号化率のうちの少なくとも２つの組み合わせを含んでもよい。
【００４２】
図４は、本開示の別の実施形態に係る、図３に示されたワイヤレス通信方法の決定ステップのフローチャートを示す。
【００４３】
この場合、図４に示すように、決定するステップＳ３０１は、第１のチャネルおよび第２のチャネルのタイプに応じて、第１のチャネルおよび第２のチャネルのうちの短縮されるべき少なくとも１つの少なくとも一部を決定するステップＳ３０１１と、第１のチャネルおよび第２のチャネルのタイプが等しい場合、第１のチャネルおよび第２のチャネルのＴＴＩ長に応じて、第１のチャネルおよび第２のチャネルのうちの短縮されるべき少なくとも１つの少なくとも一部を決定するステップＳ３０１２と、第１のチャネルおよび第２のチャネルのＴＴＩ長が等しい場合、第１のチャネルおよび第２のチャネルの符号化率に応じて、第１のチャネルおよび第２のチャネルのうちの短縮されるべき少なくとも１つの少なくとも一部を決定するステップＳ３０１３と、を含んでもよい。
【００４４】
これは、第１のチャネルおよび第２のチャネルのタイプ、第１のチャネルおよび第２のチャネルのＴＴＩ長、および第１のチャネルおよび第２のチャネルの符号化率をともに組み合わせて、第１のチャネルおよび第２のチャネルのうちの短縮されるべき少なくとも１つの少なくとも一部を決定する場合、３つの特性に対する決定順序、すなわち、第１にタイプ、第２にＴＴＩ長、および第３に符号化率が存在することを意味する。
【００４５】
当然、３つの特性に対する上記の順序は一例にすぎず、限定されない。実際には、３つの特性に対する他の順序が利用可能であり得る。さらに、上記の例は３つの特性のすべての組み合わせを記載しているが、これは一例にすぎず、限定されない。実際には、３つの特性のうちの任意の２つの他の組み合わせが利用可能であり得るし、３つの特性のうちの任意の２つの組み合わせに対する順序も利用可能であり得る。
【００４６】
一実施形態では、決定するステップＳ３０１は、第２のチャネルの終端部分が短縮されると判断するステップを含んでもよい。
【００４７】
このように、第２のチャネルの終端部分は常に短縮されるように決定される。通常、第２のノードから第１のノードに送信される第１のチャネルを含むデータは、ＲＳなどの重要な情報を含む場合がある。そのため、第１のチャネルは短縮されないが、第１のチャネルに含まれるＲＳを保護するために、第２のチャネルの終端部分は常に短縮される。
【００４８】
この場合、第２のチャネルの送信を開始するタイミングは、第１のチャネルの受信を完了するタイミングに基づいてもよい。詳細には、第２のチャネルの送信を開始するタイミングは、第１のチャネルの受信を完了するタイミングであってもよい。それは、第２のチャネルの送信を開始するタイミングと第１のチャネルの受信を完了するタイミングとが同時であってもよいことを意味する。または、代替として、第２のチャネルの送信を開始するタイミングと第１のチャネルの受信を完了するタイミングとの間の時間間隔はしきい値よりも短くてもよい。それは、第２のチャネルの送信を開始するタイミングと第１のチャネルの受信を完了するタイミングとが互いに近接していてもよいが、必ずしも同時でなくてもよいことを意味する。
【００４９】
このように、第１のチャネルの受信が完了した直後に第２のチャネルが送信され始めた場合、伝送遅延時間に起因して、第２のノードで受信された第２のチャネルの終端部分は、第２のノードから送信されるべき次のデータの開始部分と衝突する可能性がある。このように、この実施形態では、第２のノードにおける起こり得る衝突を防止するために、第１のノードにおいて第２のチャネルの終端部分を常に短縮することができる。
【００５０】
一実施形態では、決定するステップＳ３０１は、第１のノードから送信されるべき次のデータがない場合、第１のチャネルの終端部分が短縮されないと判断するステップを含んでもよい。
【００５１】
このように、第１のチャネルは、第２のノードから送信され、第１のノードで受信される。そのため、第１のノードから送信されるべき次のデータが存在しないと第１のノードが判断した場合、第１のノードで衝突が発生しないはずなので、第１のノードは受信された第１のチャネルを短縮しない。
【００５２】
別の実施形態では、決定するステップＳ３０１は、第１のノードで受信されるべき次のデータが存在しないと第１のノードが通知された場合、第２のチャネルの終端部分が短縮されないと判断するステップを含んでもよい。
【００５３】
この場合、第１のノードで受信されるべき次のデータが存在しない（例えば、第２のノードから第１のノードに送信されるべき次のデータが存在しないことについての第１のノードが第２のノードによって通知される）場合、第２のチャネルが第２のノードに到着したときに第２のノードで衝突が発生しないはずなので、第１のノードは、第２のノードに送信されるべき第２のチャネルの終端を短縮しなくてもよい。
【００５４】
この実施形態は、２つのケースを含む：（１）第１のノードはＵＥであり、第１のノードから送信された第２のチャネルは、例えば、アップリンクチャネルである、（２）第１のノードはｅＮＢである。第１のケース（１）の場合、第１のノード、ＵＥは、ＵＥにおいて受信されるべき次のデータが存在しない、すなわち、ｅＮＢまた別のＵＥから送信されるべき次のデータが存在しないことを通知され得る。そのため、アップリンクチャネルがｅＮＢに到着したときにｅＮＢで衝突が発生しないはずなので、第２のチャネルの終端部分、すなわち、アップリンクチャネルの終端部分は短縮されない。第２のケース（２）の場合、第１のノードはｅＮＢであり、第１のノードから送信される第２のチャネルは、例えば、ダウンリンクチャネルである。しかしながら、現在の規格、または現在の現実的な使用では、ｅＮＢが管理およびスケジューリングを担当すると指定されているので、今まで、ｅＮＢはＵＥによって通知され得ない。ただし、将来的に、いくつかの新しいアクセス方式に基づいて、ＵＥがｅＮＢに何かを通知できることが可能であってもよい。この意味で、第２のケース（２）が利用可能である。そのため、将来的に利用可能である場合、第１のノード、ｅＮＢは、ｅＮＢで受信されるべき次のデータが存在ない、すなわち、ＵＥから送信されるべき次のデータが存在しないことを通知され得る。そのため、ダウンリンクチャネルがＵＥに到着したときにＵＥで衝突が発生しないはずなので、第２のチャネルの終端部分、すなわち、ダウンリンクチャネルの終端部分は短縮されない。
【００５５】
図５Ａおよび図５Ｂは、第１のノードが第１のチャネルを受信し、かつ／または第２のチャネルを送信する２つのシナリオを概略的に示す。
【００５６】
一実施形態では、図５Ａに示すように、第１のノードは、第２のノードから第１のチャネルを受信し、かつ／または第２のノードに第２のチャネルを送信してもよい。すなわち、第１のチャネルおよび第２のチャネルは、第１のノードと第２のノードとの間にある。
【００５７】
一実施形態では、図５Ｂに示すように、第１のノードは、第２のノードから第１のチャネルを受信し、かつ／または第３のノードに第２のチャネルを送信してもよい。すなわち、第１のチャネルは第１のノードと第２のノードとの間にあってもよく、第２のチャネルは第１のノードと第３のノードとの間にあってもよい。
【００５８】
図５Ｃおよび図５Ｄは、ＵＥ／ｅＮＢがＵＥ／ｅＮＢから第１のチャネルを受信し、かつ／またはＵＥ／ｅＮＢに第２のチャネルを送信するいくつかのシナリオを概略的に示す。
【００５９】
一実施形態では、図５Ｃおよび図５Ｄに示すように、第１のノードは、ユーザ機器（ＵＥ：User Equipment）およびｅＮＢ（evolved Node B）のうちの１つであってもよく、第２のノードはＵＥおよびｅＮＢのうちの１つであってもよく、第３のノードはＵＥおよびｅＮＢのうちの１つである。
【００６０】
一実施形態では、第１のチャネルは、ダウンリンクチャネル、アップリンクチャネル、およびサイドリンクチャネルのうちの１つであってもよく、第２のチャネルは、ダウンリンクチャネル、アップリンクチャネル、およびサイドリンクチャネルのうちの１つであってもよい。
【００６１】
図５Ｅ〜図５Ｋは、ＵＥ／ｅＮＢがアップリンク、ダウンリンク、サイドリンクのチャネルのうちの１つをＵＥ／ｅＮＢから受信し、かつ／またはアップリンク、ダウンリンク、サイドリンクのチャネルのうちの１つをＵＥ／ｅＮＢに送信するいくつかのシナリオを概略的に示す。
【００６２】
図５Ｅに示すように、第１のノードはＵＥであり、第２のノードはｅＮＢであり、第１のチャネルはダウンリンクチャネルであり、第２のチャネルはアップリンクチャネルである。
【００６３】
図５Ｆに示すように、第１のノードはｅＮＢであり、第２のノードはＵＥであり、第１のチャネルはアップリンクチャネルであり、第２のチャネルはダウンリンクチャネルである。
【００６４】
図５Ｇに示すように、第１のノードはＵＥであり、第２のノードはＵＥであり、第１のチャネルはサイドリンクチャネルであり、第２のチャネルはサイドリンクチャネルである。
【００６５】
図５Ｈに示すように、第１のノードはｅＮＢであり、第２のノードはｅＮＢであり、第１のチャネルはサイドリンクチャネルであり、第２のチャネルはサイドリンクチャネルである。
【００６６】
図５Ｉに示すように、第１のノードはＵＥであり、第２のノードはＵＥであり、第３のノードはｅＮＢであり、第１のチャネルはサイドリンクチャネルであり、第２のチャネルはアップリンクチャネルである。
【００６７】
図５Ｊに示すように、第１のノードはＵＥであり、第２のノードはｅＮＢであり、第３のノードはＵＥであり、第１のチャネルはダウンリンクチャネルであり、第２のチャネルはサイドリンクチャネルである。
【００６８】
図５Ｋに示すように、第１のノードはｅＮＢであり、第２のノードはＵＥであり、第３のノードはＵＥであり、第１のチャネルはサイドリンクチャネルであり、第２のチャネルはダウンリンクチャネルである。
【００６９】
一実施形態では、短縮するステップＳ３０２は、決定に応じて、第１のチャネルおよび第２のチャネルのうちの少なくとも１つの少なくとも一部をパンクチャリングするステップ、または、決定に応じて、第１のチャネルおよび第２のチャネルのうちの少なくとも１つの少なくとも一部をレートマッチングするステップのうちの１つを含んでもよい。
【００７０】
この実施形態では、短縮はパンクチャリングまたはレートマッチングを含むが、短縮はこれらに限定されない。他の場合では、短縮は、データの長さを短縮する他の方法、例えば、パンクチャリングプラスレートマッチングなどを含んでもよい。
【００７１】
本開示のすべての実施形態では、上述された優先ルールは、標準仕様で設定または規定された無線リソース制御（ＲＲＣ：Radio Resource Control）の可能性がある。ＤＬ−ＵＬ切替えを処理するためにパンクチャリングが使用されるか、レートマッチングが使用されるかは事前に設定され、ＲＲＣ設定されるか、または媒体アクセス制御（ＭＡＣ：Medium Access Control）／Ｌ１  ｇｒａｎｔによって示される可能性がある。
【００７２】
チャネルのどの特性が使用されるかは、ＲＲＣ／ＭＡＣ／Ｌ１  ｇｒａｎｔによって指示／設定される可能性がある。
【００７３】
加えて、本明細書で説明され、添付の特許請求の範囲に含まれる、提案された解決策または実施形態は、ＬＴＥとＮＲの両方に適用される可能性があるか、またはシナリオ固有の可能性がある。
【００７４】
例えば、チャネルのタイプを含むチャネルの特性をＬＴＥに適用することができ、ＴＴＩ長または符号化率を含むチャネルの特性をＮＲに適用することができる。
【００７５】
別の実施形態では、チャネルのどの特性が使用されるかは、ｅＮＢによって示されるタイミングアドバンス（ＴＡ：Timing Advance）値に基づくことができる。例えば、ＴＡ＞ｘ（しきい値）である場合、ＤＬ−ＵＬ切替えを処理するためにチャネルのタイプを含むチャネルの特性が適用され、ＴＡ≦ｘである場合、ＤＬ−ＵＬ切替えを処理するためにＴＴＩ長または符号化率を含むチャネルの特性が使用される。しきい値ｘは、ｅＮＢによって設定されるか、標準仕様で規定される可能性がある。一例として、ｘは０に等しい。
【００７６】
しかしながら、上記の実施形態および例は、例示のためのものにすぎず、限定のためのものではない。本開示の概念内で、他の代替の実施形態を適用することができる。
【００７７】
このように、本開示の実施形態によれば、固定チャネルの固定部分を固定的に短縮することなく、第１のチャネルおよび第２のチャネルのうちの少なくとも１つの特性に応じて、第１のチャネルおよび第２のチャネルのうちの短縮されるべき少なくとも１つの少なくとも一部を動的に決定することが可能である。それにより、第１のチャネルと第２のチャネルとの間の干渉または衝突が回避される。
【００７８】
以下の説明は、本開示をより明白かつより包括的にするために、本開示の３つの特定の実施形態に関して記載されるが、限定するものではない。
【００７９】
図６は、本開示の第１の特定の実施形態を説明するための概略図を示す。
【００８０】
第１の特定の実施形態では、第１のノードが、第２のノードから第１のチャネルを受信し、かつ／または第２のノードに第２のチャネルを送信するＵＥであり、第２のノードがｅＮＢである。また、第１のチャネルがダウンリンクチャネル（以下、ＤＬチャネルと呼ばれる）であり、第２のチャネルがアップリンクチャネル（以下、ＵＬチャネルと呼ばれる）であると仮定する。
【００８１】
例えば、ＤＬチャネルが物理共有チャネル（ＰＳＣＨ）（または一般にデータチャネルと呼ばれる）であり、ＤＬチャネルのＴＴＩ長が７シンボルであると仮定する。ＵＬチャネルは、参照信号（ＲＳ）を含むチャネル（または一般にＲＳチャネルと呼ばれる）であり、ＵＬチャネルのＴＴＩ長は７シンボルである。それは、ＤＬチャネルとＵＬチャネルのＴＴＩ長が同じであることを意味する。ＲＳ信号は、通常、ＵＬチャネルの始めに送信される。したがって、（パンクチャリングまたはレートマッチングを含む）短縮が行われない場合、ＤＬ受信チャネルとＵＬ送信チャネルとの間の衝突部分は１ＯＦＤＭシンボルであってもよい。
【００８２】
本実施形態によれば、ワイヤレス通信方法は、第１のチャネルおよび第２のチャネルのうちの少なくとも１つの特性に応じて、第１のチャネルおよび第２のチャネルのうちの短縮されるべき少なくとも１つの少なくとも一部を決定するステップを含む。第１のチャネルおよび第２のチャネルは、第１のチャネルおよび第２のチャネルの特性に応じて優先度を割り当てられる。決定するステップは、第１のチャネルおよび第２のチャネルのうちの１つが第１のチャネルおよび第２のチャネルのうちの他の１つよりも低い優先度を割り当てられた場合、第１のチャネルおよび第２のチャネルのうちの１つの一部が短縮されると判断し、第１のチャネルおよび第２のチャネルのうちの他の１つの一部が短縮されないと判断するステップを含む。第１のチャネルおよび第２のチャネルの特性は、第１のチャネルおよび第２のチャネルのタイプを含む。ＰＳＣＨの優先度は制御チャネルの優先度よりも低く、制御チャネルの優先度は、衝突が起こり得る部分にＲＳを含むチャネルの優先度よりも低く、衝突が起こり得る部分にＲＳを含むチャネルの優先度は、ＲＡＣＨの優先度よりも低い。
【００８３】
このように、ＲＳチャネルは、ＰＳＣＨチャネルよりも高い優先度を有する。そのため、ＤＬチャネル（衝突が起こり得る部分）内の１シンボルは、短縮される（例えば、パンクチャリングまたはレートマッチングされる）。このように、アップリンクチャネル内のＲＳ信号を保護することができ、性能損失が最小化される。
【００８４】
図７は、本開示の第２の特定の実施形態を説明するための概略図を示す。
【００８５】
第２の特定の実施形態では、同様に、第１のノードが、第２のノードから第１のチャネルを受信し、かつ／または第２のノードに第２のチャネルを送信するＵＥであり、第２のノードがｅＮＢである。また、第１のチャネルがダウンリンクチャネル（以下、ＤＬチャネルと呼ばれる）であり、第２のチャネルがアップリンクチャネル（以下、ＵＬチャネルと呼ばれる）であると仮定する。
【００８６】
仮定は以下の通りである。
【００８７】
ＤＬチャネルはＰＳＣＨチャネル（またはデータチャネルと呼ばれる）であり、ＴＴＩ長は２シンボルである。
【００８８】
ＵＬチャネルはＰＳＣＨチャネル（またはデータチャネルと呼ばれる）であり、ＴＴＩ長は７シンボルである。これは、ＤＬチャネルとＵＬチャネルのタイプは同じであるが、ＤＬチャネルとＵＬチャネルのＴＴＩ長は異なり、ＤＬチャネルのＴＴＩ長はＵＬチャネルのＴＴＩ長よりも短いことを意味する。
【００８９】
図７に示すように、時間Ｔ１は伝搬遅延であり、時間Ｔ２はｅＮＢ側でのタイミングアドバンスである。
【００９０】
時間Ｔ３は、ＤＬ受信チャネルとＵＬ送信チャネルとの間の起こり得る衝突が１ＯＦＤＭシンボルであることを意味し、Ｔ１、Ｔ２、およびＴ３の間の関係は、Ｔ３＝２Ｔ１＝２Ｔ２である。
【００９１】
この実施形態では、ワイヤレス通信方法は、第１のチャネルおよび第２のチャネルのうちの少なくとも１つの特性に応じて、第１のチャネルおよび第２のチャネルのうちの短縮されるべき少なくとも１つの少なくとも一部を決定するステップを含む。第１のチャネルおよび第２のチャネルは、第１のチャネルおよび第２のチャネルの特性に応じて優先度を割り当てられる。決定するステップは、第１のチャネルおよび第２のチャネルのうちの１つが第１のチャネルおよび第２のチャネルのうちの他の１つよりも低い優先度を割り当てられた場合、第１のチャネルおよび第２のチャネルのうちの１つの一部が短縮されると判断し、第１のチャネルおよび第２のチャネルのうちの他の１つの一部が短縮されないと判断するステップを含む。第１のチャネルおよび第２のチャネルの特性は、第１のチャネルおよび第２のチャネルの送信時間間隔（ＴＴＩ）長を含む。より長いＴＴＩ長を有する第１のチャネルおよび第２のチャネルのうちの１つは、より短いＴＴＩ長を有する第１のチャネルおよび第２のチャネルのうちの他の１つよりも低い優先度を割り当てられる。
【００９２】
このように、より短いＴＴＩを有するチャネルはより高い優先度を有し、より長いＴＴＩを有するチャネルはより低い優先度を有するので、ＴＴＩ長が７シンボルであるＵＬチャネルは、ＤＬ−ＵＬ切替えポイントのために短縮される。したがって、ＵＬチャネル（衝突が起こり得る部分）内の１シンボルは、短縮される（例えば、パンクチャリングまたはレートマッチングされる）。この実施形態の利点は、性能損失を最小化できることである。
【００９３】
図８は、本開示の第３の特定の実施形態を説明するための概略図を示す。
【００９４】
第３の特定の実施形態では、同様に、第１のノードが、第２のノードから第１のチャネルを受信し、かつ／または第２のノードに第２のチャネルを送信するＵＥであり、第２のノードがｅＮＢである。また、第１のチャネルがダウンリンクチャネル（以下、ＤＬチャネルと呼ばれる）であり、第２のチャネルがアップリンクチャネル（以下、ＵＬチャネルと呼ばれる）であると仮定する。
【００９５】
仮定は以下の通りである。
【００９６】
ＤＬチャネルはＰＳＣＨチャネル（またはデータチャネルと呼ばれる）であり、符号化率は１／２である。
【００９７】
ＵＬチャネルはＰＳＣＨチャネル（またはデータチャネルと呼ばれる）であり、符号化率は１／３である（これは、ＤＬチャネルとＵＬチャネルのタイプは同じであるが、ＤＬチャネルとＵＬチャネルの符号化率は異なり、ＤＬチャネルの符号化率はＵＬチャネルの符号化率よりも高いことを意味する）。
【００９８】
図８に示すように、時間Ｔ１は伝搬遅延であり、時間Ｔ２はｅＮＢ側でのタイミングアドバンスである。
【００９９】
時間Ｔ３は、ＤＬ受信チャネルとＵＬ送信チャネルとの間の起こり得る衝突が１ＯＦＤＭシンボルであることを意味し、Ｔ１、Ｔ２、およびＴ３の間の関係は、Ｔ３＝２Ｔ１＝２Ｔ２である。
【０１００】
この実施形態では、ワイヤレス通信方法は、第１のチャネルおよび第２のチャネルのうちの少なくとも１つの特性に応じて、第１のチャネルおよび第２のチャネルのうちの短縮されるべき少なくとも１つの少なくとも一部を決定するステップを含む。第１のチャネルおよび第２のチャネルは、第１のチャネルおよび第２のチャネルの特性に応じて優先度を割り当てられる。決定するステップは、第１のチャネルおよび第２のチャネルのうちの１つが第１のチャネルおよび第２のチャネルのうちの他の１つよりも低い優先度を割り当てられた場合、第１のチャネルおよび第２のチャネルのうちの１つの一部が短縮されると判断し、第１のチャネルおよび第２のチャネルのうちの他の１つの一部が短縮されないと判断するステップを含む。第１のチャネルおよび第２のチャネルの特性は、第１のチャネルおよび第２のチャネルの符号化率を含む。より低い符号化率を有する第１のチャネルおよび第２のチャネルのうちの１つは、より高い符号化率を有する第１のチャネルおよび第２のチャネルのうちの他の１つよりも低い優先度を割り当てられる。
【０１０１】
このように、より高い符号化率を有するチャネルはより高い優先度を有し、より低い符号化率を有するチャネルはより低い優先度を有するので、符号化率が１／３であるＵＬチャネルは、ＤＬ−ＵＬ切替えポイントのために短縮される。したがって、ＵＬチャネル（衝突が起こり得る部分）内の１シンボルは、短縮される（例えば、パンクチャリングまたはレートマッチングされる）。この実施形態の利点は、性能損失を最小化できることである。
【０１０２】
図９は、本開示の第４の実施形態を説明するための概略図である。
【０１０３】
第４の特定の実施形態では、同様に、第１のノードが、第２のノードから第１のチャネルを受信し、かつ／または第２のノードに第２のチャネルを送信するＵＥであり、第２のノードがｅＮＢである。また、第１のチャネルがダウンリンクチャネル（以下、ＤＬチャネルと呼ばれる）であり、第２のチャネルがアップリンクチャネル（以下、ＵＬチャネルと呼ばれる）であると仮定する。
【０１０４】
この実施形態では、ワイヤレス通信方法は、第１のチャネルおよび第２のチャネルのうちの少なくとも１つの特性に応じて、第１のチャネルおよび第２のチャネルのうちの短縮されるべき少なくとも１つの少なくとも一部を決定するステップを含む。第１のチャネルおよび第２のチャネルは、第１のチャネルおよび第２のチャネルの特性に応じて優先度を割り当てられる。決定するステップは、第１のチャネルおよび第２のチャネルのうちの１つが第１のチャネルおよび第２のチャネルのうちの他の１つよりも低い優先度を割り当てられた場合、第１のチャネルおよび第２のチャネルのうちの１つの一部が短縮されると判断し、第１のチャネルおよび第２のチャネルのうちの他の１つの一部が短縮されないと判断するステップを含む。決定するステップは、第２のチャネルの終端部分が短縮されると判断するステップを含む。第２のチャネルの送信を開始するタイミングは、第１のチャネルの受信を完了するタイミングに基づく。第２のチャネルの送信を開始するタイミングは、第１のチャネルの受信を完了するタイミングである。
【０１０５】
したがって、切替えポイントの近くではＤＬチャネルまたはＵＬチャネルは処理されない。代わりに、ＵＥ側では、ＵＬ送信タイミングはＤＬ受信タイミングに基づく。例えば、ＵＬ送信タイミングはＤＬ受信タイミングである。図９に示すように、ｅＮＢは、ＮのＴＴＩ長でＤＬチャネルを送信する。ＵＥは、ＤＬ受信タイミングに基づいて、例えば、ＤＬ受信タイミングでＵＬチャネルを送信する。ｅＮＢ側では、そのようなＵＬ受信は、次のＤＬ送信と衝突する可能性がある。図９では、衝突部分の長さは時間Ｔ４として解釈される。実際には、衝突部分はｅＮＢ側でＵＬ受信および次のＤＬ送信に切り替わる。この場合、起こり得る衝突を回避するために、ＵＬチャネルは短縮される（例えば、パンクチャリングまたはレートマッチングされる）。そのようなケースの利点は、ＵＬ送信チャネルの始めに送信されるＲＳが常に保護されることである。
【０１０６】
このように、本開示の実施形態によれば、固定チャネルの固定部分を固定的に短縮することなく、第１のチャネルおよび第２のチャネルのうちの少なくとも１つの特性に応じて、第１のチャネルおよび第２のチャネルのうちの短縮されるべき少なくとも１つの少なくとも一部を動的に決定することが可能である。それにより、第１のチャネルと第２のチャネルとの間の干渉または衝突が回避される。
【０１０７】
図１０は、本開示の実施形態に係る、ワイヤレス通信装置のブロック図を示す。
【０１０８】
図１０に示すように、装置１０００は、第１のチャネルを受信し、かつ／または第２のチャネルを送信する第１のノードにおいて、第１のチャネルを受信する受信部１００１と、第２のチャネルを送信する送信部１００２と、第１のチャネルおよび第２のチャネルのうちの少なくとも１つの特性に応じて、第１のチャネルおよび第２のチャネルのうちの短縮されるべき少なくとも１つの少なくとも一部を決定し、決定に応じて、第１のチャネルおよび第２のチャネルのうちの少なくとも１つの少なくとも一部を短縮する回路とを備える。
【０１０９】
一実施形態では、第１のチャネルおよび第２のチャネルは、第１のチャネルおよび第２のチャネルの特性に応じて優先度を割り当てられてもよい。回路１００３は、第１のチャネルおよび第２のチャネルのうちの１つが第１のチャネルおよび第２のチャネルのうちの他の１つよりも低い優先度を割り当てられた場合、第１のチャネルおよび第２のチャネルのうちの１つの一部が短縮されると判断し、第１のチャネルおよび第２のチャネルのうちの他の１つの一部が短縮されないと判断する。または、回路１００３は、第１のチャネルおよび第２のチャネルのうちの１つが第１のチャネルおよび第２のチャネルのうちの他の１つよりも低い優先度を割り当てられた場合、第１のチャネルおよび第２のチャネルのうちの１つの長い部分が短縮されると判断し、第１のチャネルおよび第２のチャネルのうちの他の１つの短い部分が短縮されると判断する。
【０１１０】
一実施形態では、第１のチャネルおよび第２のチャネルの特性は、第１のチャネルおよび第２のチャネルのタイプを含んでもよい。
【０１１１】
一実施形態では、第１のチャネルおよび第２のチャネルのタイプは、ランダムアクセスチャネル（ＲＡＣＨ）、参照信号（ＲＳ）を含むチャネル、制御チャネル、物理共有チャネル（ＰＳＣＨ）のうちの少なくとも１つを含んでもよい。
【０１１２】
一実施形態では、ＰＳＣＨの優先度は制御チャネルの優先度よりも低くてもよく、制御チャネルの優先度は、衝突が起こり得る部分でＲＳを含むチャネルの優先度よりも低くてもよく、衝突が起こり得る部分でＲＳを含むチャネルの優先度は、ＲＡＣＨの優先度よりも低くてもよい。
【０１１３】
一実施形態では、第１のチャネルおよび第２のチャネルの特性は、第１のチャネルおよび第２のチャネルの送信時間間隔（ＴＴＩ）長を含んでもよい。
【０１１４】
一実施形態では、より長いＴＴＩ長を有する第１のチャネルおよび第２のチャネルのうちの１つは、より短いＴＴＩ長を有する第１のチャネルおよび第２のチャネルのうちの他の１つよりも低い優先度を割り当てられてもよい。
【０１１５】
一実施形態では、第１のチャネルおよび第２のチャネルの特性は、第１のチャネルおよび第２のチャネルの符号化率を含んでもよい。
【０１１６】
一実施形態では、より低い符号化率を有する第１のチャネルおよび第２のチャネルのうちの１つは、より高い符号化率を有する第１のチャネルおよび第２のチャネルのうちの他の１つよりも低い優先度を割り当てられてもよい。
【０１１７】
一実施形態では、第１のチャネルおよび第２のチャネルの特性は、第１のチャネルおよび第２のチャネルのタイプ、第１のチャネルおよび第２のチャネルのＴＴＩ長、ならびに第１のチャネルおよび第２のチャネルの符号化率のうちの少なくとも２つの組み合わせを含んでもよい。
【０１１８】
一実施形態では、回路１００３は、第１のチャネルおよび第２のチャネルのタイプに応じて、第１のチャネルおよび第２のチャネルのうちの短縮されるべき少なくとも１つの少なくとも一部を決定し、第１のチャネルおよび第２のチャネルのタイプが等しい場合、第１のチャネルおよび第２のチャネルのＴＴＩ長に応じて、第１のチャネルおよび第２のチャネルのうちの短縮されるべき少なくとも１つの少なくとも一部を決定し、第１のチャネルおよび第２のチャネルのＴＴＩ長が等しい場合、第１のチャネルおよび第２のチャネルの符号化率に応じて、第１のチャネルおよび第２のチャネルのうちの短縮されるべき少なくとも１つの少なくとも一部を決定する。
【０１１９】
一実施形態では、回路１００３は、第２のチャネルの終端部分が短縮されると判断する。
【０１２０】
一実施形態では、第２のチャネルの送信を開始するタイミングは、第１のチャネルの受信を完了するタイミングに基づいてもよい。
【０１２１】
一実施形態では、第２のチャネルの送信を開始するタイミングは、第１のチャネルの受信を完了するタイミングであってもよい。第２のチャネルの送信を開始するタイミングと第１のチャネルの受信を完了するタイミングとの間の時間間隔は、しきい値よりも短くてもよい。
【０１２２】
一実施形態では、回路１００３は、第１のノードから送信されるべき次のデータが存在しない場合、第１のチャネルの終端部分が短縮されないと判断すること、および第１のノードで受信されるべき次のデータが存在しないと第１のノードが通知された場合、第２のチャネルの終端部分が短縮されないと判断することのうちの少なくとも１つを実行する。
【０１２３】
一実施形態では、受信部１００１は、第２のノードから第１のチャネルを受信し、送信部１００２は、第３のノードに第２のチャネルを送信する。第１のノードは、ユーザ機器（ＵＥ）およびｅＮＢ（evolved Node B）のうちの１つであってもよく、第２のノードはＵＥおよびｅＮＢのうちの１つであってもよく、第３のノードはＵＥおよびｅＮＢのうちの１つであってもよい。
【０１２４】
一実施形態では、第１のチャネルは、ダウンリンクチャネル、アップリンクチャネル、およびサイドリンクチャネルのうちの１つであってもよい。第２のチャネルは、ダウンリンクチャネル、アップリンクチャネル、およびサイドリンクチャネルのうちの１つであってもよい。
【０１２５】
一実施形態では、回路１００３は、決定に応じて、第１のチャネルおよび第２のチャネルのうちの少なくとも１つの少なくとも一部をパンクチャリングすること、または決定に応じて、第１のチャネルおよび第２のチャネルのうちの少なくとも１つの少なくとも一部をレートマッチングすることのうちの１つを実行する。
【０１２６】
このように、本開示の実施形態によれば、固定チャネルの固定部分を固定的に短縮することなく、第１のチャネルおよび第２のチャネルのうちの少なくとも１つの特性に応じて、第１のチャネルおよび第２のチャネルのうちの短縮されるべき少なくとも１つの少なくとも一部を動的に決定することが可能である。それにより、第１のチャネルと第２のチャネルとの間の干渉または衝突が回避される。
【０１２７】
図１１は、本開示の実施形態に係る、ワイヤレス通信システム１１００のブロック図を示す。
【０１２８】
図１１に示すように、ワイヤレス通信システム１１００は、第１のチャネルを受信し、かつ／または第２のチャネルを送信する第１のノードにおいて、プロセッサＨ１と、プロセッサによって実行されると、第１のチャネルおよび第２のチャネルのうちの少なくとも１つの特性に応じて、第１のチャネルおよび第２のチャネルのうちの短縮されるべき少なくとも１つの少なくとも一部を決定するステップと、決定に応じて、第１のチャネルおよび第２のチャネルのうちの少なくとも１つの少なくとも一部を短縮するステップとを実行するコンピュータ実行可能命令を記憶するメモリＨ２とを備える。メモリＨ２は、プロセッサによって実行されると、上述されたワイヤレス通信方法の実施形態のステップをさらに実行するコンピュータ実行可能命令を記憶することができる。重複を避けるために詳細は省略される。
【０１２９】
このように、本開示の実施形態によれば、固定チャネルの固定部分を固定的に短縮することなく、第１のチャネルおよび第２のチャネルのうちの少なくとも１つの特性に応じて、第１のチャネルおよび第２のチャネルのうちの短縮されるべき少なくとも１つの少なくとも一部を動的に決定することが可能である。それにより、第１のチャネルと第２のチャネルとの間の干渉または衝突が回避される。
【０１３０】
本開示の実施形態は、少なくとも以下の主題を提供することができる。
【０１３１】
（１）．第１のチャネルを受信し、かつ／または第２のチャネルを送信する第１のノードにおいて、第１のチャネルを受信する受信部と、第２のチャネルを送信する送信部と、第１のチャネルおよび第２のチャネルのうちの少なくとも１つの特性に応じて、第１のチャネルおよび第２のチャネルのうちの短縮されるべき少なくとも１つの少なくとも一部を決定し、決定に応じて、第１のチャネルおよび第２のチャネルのうちの少なくとも１つの少なくとも一部を短縮する回路とを備える、装置。
【０１３２】
（２）．第１のチャネルおよび第２のチャネルは、第１のチャネルおよび第２のチャネルの特性に応じて優先度を割り当てられ、回路は、第１のチャネルおよび第２のチャネルのうちの１つが第１のチャネルおよび第２のチャネルのうちの他の１つよりも低い優先度を割り当てられた場合、第１のチャネルおよび第２のチャネルのうちの１つの一部が短縮されると判断し、第１のチャネルおよび第２のチャネルのうちの他の１つの一部が短縮されないと判断するか、または第１のチャネルおよび第２のチャネルのうちの１つが第１のチャネルおよび第２のチャネルのうちの他の１つよりも低い優先度を割り当てられた場合、第１のチャネルおよび第２のチャネルのうちの１つの長い部分が短縮されると判断し、第１のチャネルおよび第２のチャネルのうちの他の１つの短い部分が短縮されると判断する、（１）に記載の装置。
【０１３３】
（３）．第１のチャネルおよび第２のチャネルの特性は、第１のチャネルおよび第２のチャネルのタイプを含む、（２）に記載の装置。
【０１３４】
（４）．第１のチャネルおよび第２のチャネルのタイプは、ランダムアクセスチャネル（ＲＡＣＨ）、参照信号（ＲＳ）を含むチャネル、制御チャネル、物理共有チャネル（ＰＳＣＨ）のうちの少なくとも１つを含む、（３）に記載の装置。
【０１３５】
（５）．ＰＳＣＨの優先度が制御チャネルの優先度よりも低く、制御チャネルの優先度が、衝突が起こり得る部分にＲＳを含むチャネルの優先度よりも低く、衝突が起こり得る部分にＲＳを含むチャネルの優先度が、ＲＡＣＨの優先度よりも低い、（４）に記載の装置。
【０１３６】
（６）．第１のチャネルおよび第２のチャネルの特性は、第１のチャネルおよび第２のチャネルの送信時間間隔（ＴＴＩ）長を含む、（２）に記載の装置。
【０１３７】
（７）．より長いＴＴＩ長を有する第１のチャネルおよび第２のチャネルのうちの１つは、より短いＴＴＩ長を有する第１のチャネルおよび第２のチャネルのうちの他の１つよりも低い優先度を割り当てられる、（６）に記載の装置。
【０１３８】
（８）．第１のチャネルおよび第２のチャネルの特性は、第１のチャネルおよび第２のチャネルの符号化率を含む、（２）に記載の装置。
【０１３９】
（９）．より低い符号化率を有する第１のチャネルおよび第２のチャネルのうちの１つは、より高い符号化率を有する第１のチャネルおよび第２のチャネルのうちの他の１つよりも低い優先度を割り当てられる、（８）に記載の装置。
【０１４０】
（１０）．第１のチャネルおよび第２のチャネルの特性は、第１のチャネルおよび第２のチャネルのタイプ、第１のチャネルおよび第２のチャネルのＴＴＩ長、ならびに第１のチャネルおよび第２のチャネルの符号化率のうちの少なくとも２つの組み合わせを含む、（２）に記載の装置。
【０１４１】
（１１）．回路は、第１のチャネルおよび第２のチャネルのタイプに応じて、第１のチャネルおよび第２のチャネルのうちの短縮されるべき少なくとも１つの少なくとも一部を決定し、第１のチャネルおよび第２のチャネルのタイプが等しい場合、第１のチャネルおよび第２のチャネルのＴＴＩ長に応じて、第１のチャネルおよび第２のチャネルのうちの短縮されるべき少なくとも１つの少なくとも一部を決定し、第１のチャネルおよび第２のチャネルのＴＴＩ長が等しい場合、第１のチャネルおよび第２のチャネルの符号化率に応じて、第１のチャネルおよび第２のチャネルのうちの短縮されるべき少なくとも１つの少なくとも一部を決定する、（１０）に記載の装置。
【０１４２】
（１２）．回路は、第２のチャネルの終端部分が短縮されると判断する、（１）に記載の装置。
【０１４３】
（１３）．第２のチャネルの送信を開始するタイミングは、第１のチャネルの受信を完了するタイミングに基づく、（１２）に記載の装置。
【０１４４】
（１４）．第２のチャネルの送信を開始するタイミングは第１のチャネルの受信を完了するタイミングであるか、または第２のチャネルの送信を開始するタイミングと第１のチャネルの受信を完了するタイミングとの間の時間間隔がしきい値よりも短い、（１３）に記載の装置。
【０１４５】
（１５）．回路は、第１のノードから送信されるべき次のデータが存在しない場合、第１のチャネルの終端部分が短縮されないと判断すること、および第１のノードで受信されるべき次のデータが存在しないと第１のノードが通知された場合、第２のチャネルの終端部分が短縮されないと判断することのうちの少なくとも１つを実行する、（１）に記載の装置。
【０１４６】
（１６）．受信部は、第２のノードから第１のチャネルを受信し、送信部は、第３のノードに第２のチャネルを送信し、第１のノードは、ユーザ機器（ＵＥ）およびｅＮＢ（evolved Node B）のうちの１つであり、第２のノードがＵＥおよびｅＮＢのうちの１つであり、第３のノードがＵＥおよびｅＮＢのうちの１つである、（１）に記載の装置。
【０１４７】
（１７）．第１のチャネルは、ダウンリンクチャネル、アップリンクチャネル、およびサイドリンクチャネルのうちの１つであり、第２のチャネルは、ダウンリンクチャネル、アップリンクチャネル、およびサイドリンクチャネルのうちの１つである、（１）に記載の装置。
【０１４８】
（１８）．回路は、決定に応じて、第１のチャネルおよび第２のチャネルのうちの少なくとも１つの少なくとも一部をパンクチャリングすること、または決定に応じて、第１のチャネルおよび第２のチャネルのうちの少なくとも１つの少なくとも一部をレートマッチングすることのうちの１つを実行する、（１）に記載の装置。
【０１４９】
（１９）．第１のチャネルを受信し、かつ／または第２のチャネルを送信する第１のノードにおいて、プロセッサと、プロセッサによって実行されると、第１のチャネルおよび第２のチャネルのうちの少なくとも１つの特性に応じて、第１のチャネルおよび第２のチャネルのうちの短縮されるべき少なくとも１つの少なくとも一部を決定するステップと、決定に応じて、第１のチャネルおよび第２のチャネルのうちの少なくとも１つの少なくとも一部を短縮するステップとを実行するコンピュータ実行可能命令を記憶するメモリとを備える、システム。
【０１５０】
（２０）．第１のチャネルおよび第２のチャネルが、第１のチャネルおよび第２のチャネルの特性に応じて優先度を割り当てられ、決定するステップが、第１のチャネルおよび第２のチャネルのうちの１つが第１のチャネルおよび第２のチャネルのうちの他の１つよりも低い優先度を割り当てられた場合、第１のチャネルおよび第２のチャネルのうちの１つの一部が短縮されると判断し、第１のチャネルおよび第２のチャネルのうちの他の１つの一部が短縮されないと判断するステップ、または第１のチャネルおよび第２のチャネルのうちの１つが第１のチャネルおよび第２のチャネルのうちの他の１つよりも低い優先度を割り当てられた場合、第１のチャネルおよび第２のチャネルのうちの１つの長い部分が短縮されると判断し、第１のチャネルおよび第２のチャネルのうちの他の１つの短い部分が短縮されると判断するステップを含む、（１９）に記載の方法。
【０１５１】
（２１）．第１のチャネルおよび第２のチャネルの特性は、第１のチャネルおよび第２のチャネルのタイプを含む、（２０）に記載の方法。
【０１５２】
（２２）．第１のチャネルおよび第２のチャネルのタイプは、ランダムアクセスチャネル（ＲＡＣＨ）、参照信号（ＲＳ）を含むチャネル、制御チャネル、物理共有チャネル（ＰＳＣＨ）のうちの少なくとも１つを含む、（２１）に記載の方法。
【０１５３】
（２３）．ＰＳＣＨの優先度が制御チャネルの優先度よりも低く、制御チャネルの優先度は、ＲＳを含むチャネルの優先度よりも低く、ＲＳを含むチャネルの優先度が、ＲＡＣＨの優先度よりも低い、（２２）に記載の方法。
【０１５４】
（２４）．第１のチャネルおよび第２のチャネルの特性は、第１のチャネルおよび第２のチャネルの送信時間間隔（ＴＴＩ）長を含む、（２０）に記載の方法。
【０１５５】
（２５）．より長いＴＴＩ長を有する第１のチャネルおよび第２のチャネルのうちの１つは、より短いＴＴＩ長を有する第１のチャネルおよび第２のチャネルのうちの他の１つよりも低い優先度を割り当てられる、（２４）に記載の方法。
【０１５６】
（２６）．第１のチャネルおよび第２のチャネルの特性は、第１のチャネルおよび第２のチャネルの符号化率を含む、（２０）に記載の方法。
【０１５７】
（２７）．より低い符号化率を有する第１のチャネルおよび第２のチャネルのうちの１つは、より高い符号化率を有する第１のチャネルおよび第２のチャネルのうちの他の１つよりも低い優先度を割り当てられる、（２６）に記載の方法。
【０１５８】
（２８）．第１のチャネルおよび第２のチャネルの特性は、第１のチャネルおよび第２のチャネルのタイプ、第１のチャネルおよび第２のチャネルのＴＴＩ長、ならびに第１のチャネルおよび第２のチャネルの符号化率のうちの少なくとも２つの組み合わせを含む、（２０）に記載の方法。
【０１５９】
（２９）．決定するステップは、第１のチャネルおよび第２のチャネルのタイプに応じて、第１のチャネルおよび第２のチャネルのうちの短縮されるべき少なくとも１つの少なくとも一部を決定するステップと、第１のチャネルおよび第２のチャネルのタイプが等しい場合、第１のチャネルおよび第２のチャネルのＴＴＩ長に応じて、第１のチャネルおよび第２のチャネルのうちの短縮されるべき少なくとも１つの少なくとも一部を決定するステップと、第１のチャネルおよび第２のチャネルのＴＴＩ長が等しい場合、第１のチャネルおよび第２のチャネルの符号化率に応じて、第１のチャネルおよび第２のチャネルのうちの短縮されるべき少なくとも１つの少なくとも一部を決定するステップとを含む、（２８）に記載の方法。
【０１６０】
（３０）．決定するステップは、第２のチャネルの終端部分が短縮されると判断するステップを含む、（１９）に記載の方法。
【０１６１】
（３１）．第２のチャネルの送信を開始するタイミングは、第１のチャネルの受信を完了するタイミングに基づく、（３０）に記載の方法。
【０１６２】
（３２）．第２のチャネルの送信を開始するタイミングは第１のチャネルの受信を完了するタイミングであるか、または第２のチャネルの送信を開始するタイミングと第１のチャネルの受信を完了するタイミングとの間の時間間隔がしきい値よりも短い、（３１）に記載の方法。
【０１６３】
（３３）．決定するステップは、第１のノードから送信されるべき次のデータが存在しない場合、第１のチャネルの終端部分が短縮されないと判断するステップと、第１のノードで受信されるべき次のデータが存在しないと第１のノードが通知された場合、第２のチャネルの終端部分が短縮されないと判断するステップとのうちの少なくとも１つを含む、（１９）に記載の方法。
【０１６４】
（３４）．第１のノードは、第２のノードから第１のチャネルを受信し、かつ／または第３のノードに第２のチャネルを送信し、第１のノードが、ユーザ機器（ＵＥ）およびｅＮＢ（evolved Node B）のうちの１つであり、第２のノードがＵＥおよびｅＮＢのうちの１つであり、第３のノードがＵＥおよびｅＮＢのうちの１つである、（１９）に記載の方法。
【０１６５】
（３５）．第１のチャネルは、ダウンリンクチャネル、アップリンクチャネル、およびサイドリンクチャネルのうちの１つであり、第２のチャネルは、ダウンリンクチャネル、アップリンクチャネル、およびサイドリンクチャネルのうちの１つである、（１９）に記載の方法。
【０１６６】
（３６）．短縮するステップは、決定に応じて、第１のチャネルおよび第２のチャネルのうちの少なくとも１つの少なくとも一部をパンクチャリングするステップ、または決定に応じて、第１のチャネルおよび第２のチャネルのうちの少なくとも１つの少なくとも一部をレートマッチングするステップのうちの１つを含む、（１９）に記載の方法。
【０１６７】
（３７）．第１のチャネルを受信し、かつ／または第２のチャネルを送信する第１のノードにおいて、第１のチャネルおよび第２のチャネルのうちの少なくとも１つの特性に応じて、第１のチャネルおよび第２のチャネルのうちの短縮されるべき少なくとも１つの少なくとも一部を決定するステップと、決定に応じて、第１のチャネルおよび第２のチャネルのうちの少なくとも１つの少なくとも一部を短縮するステップとを備える、ワイヤレス通信方法。
【０１６８】
（３８）．第１のチャネルおよび第２のチャネルは、第１のチャネルおよび第２のチャネルの特性に応じて優先度を割り当てられ、決定するステップは、第１のチャネルおよび第２のチャネルのうちの１つが第１のチャネルおよび第２のチャネルのうちの他の１つよりも低い優先度を割り当てられた場合、第１のチャネルおよび第２のチャネルのうちの１つの一部が短縮されると判断し、第１のチャネルおよび第２のチャネルのうちの他の１つの一部が短縮されないと判断するステップ、または第１のチャネルおよび第２のチャネルのうちの１つが第１のチャネルおよび第２のチャネルのうちの他の１つよりも低い優先度を割り当てられた場合、第１のチャネルおよび第２のチャネルのうちの１つの長い部分が短縮されると判断し、第１のチャネルおよび第２のチャネルのうちの他の１つの短い部分が短縮されると判断するステップを含む、（３７）に記載の方法。
【０１６９】
（３９）．第１のチャネルおよび第２のチャネルの特性は、第１のチャネルおよび第２のチャネルのタイプを含む、（３８）に記載の方法。
【０１７０】
（４０）．第１のチャネルおよび第２のチャネルのタイプは、ランダムアクセスチャネル（ＲＡＣＨ）、参照信号（ＲＳ）を含むチャネル、制御チャネル、物理共有チャネル（ＰＳＣＨ）のうちの少なくとも１つを含む、（３９）に記載の方法。
【０１７１】
（４１）．ＰＳＣＨの優先度が制御チャネルの優先度よりも低く、制御チャネルの優先度がＲＳを含むチャネルの優先度よりも低く、ＲＳを含むチャネルの優先度がＲＡＣＨの優先度よりも低い、（４０）に記載の方法。
【０１７２】
（４２）．第１のチャネルおよび第２のチャネルの特性は、第１のチャネルおよび第２のチャネルの送信時間間隔（ＴＴＩ）長を含む、（３８）に記載の方法。
【０１７３】
（４３）．より長いＴＴＩ長を有する第１のチャネルおよび第２のチャネルのうちの１つは、より短いＴＴＩ長を有する第１のチャネルおよび第２のチャネルのうちの他の１つよりも低い優先度を割り当てられる、（４２）に記載の方法。
【０１７４】
（４４）．第１のチャネルおよび第２のチャネルの特性は、第１のチャネルおよび第２のチャネルの符号化率を含む、（３８）に記載の方法。
【０１７５】
（４５）．より低い符号化率を有する第１のチャネルおよび第２のチャネルのうちの１つは、より高い符号化率を有する第１のチャネルおよび第２のチャネルのうちの他の１つよりも低い優先度を割り当てられる、（４４）に記載の方法。
【０１７６】
（４６）．第１のチャネルおよび第２のチャネルの特性は、第１のチャネルおよび第２のチャネルのタイプ、第１のチャネルおよび第２のチャネルのＴＴＩ長、ならびに第１のチャネルおよび第２のチャネルの符号化率のうちの少なくとも２つの組み合わせを含む、（３８）に記載の方法。
【０１７７】
（４７）．決定するステップは、第１のチャネルおよび第２のチャネルのタイプに応じて、第１のチャネルおよび第２のチャネルのうちの短縮されるべき少なくとも１つの少なくとも一部を決定するステップと、第１のチャネルおよび第２のチャネルのタイプが等しい場合、第１のチャネルおよび第２のチャネルのＴＴＩ長に応じて、第１のチャネルおよび第２のチャネルのうちの短縮されるべき少なくとも１つの少なくとも一部を決定するステップと、第１のチャネルおよび第２のチャネルのＴＴＩ長が等しい場合、第１のチャネルおよび第２のチャネルの符号化率に応じて、第１のチャネルおよび第２のチャネルのうちの短縮されるべき少なくとも１つの少なくとも一部を決定するステップと、を含む、（４６）に記載の方法。
【０１７８】
（４８）．決定するステップは、第２のチャネルの終端部分が短縮されると判断するステップを含む、（３７）に記載の方法。
【０１７９】
（４９）．第２のチャネルの送信を開始するタイミングは、第１のチャネルの受信を完了するタイミングに基づく、（４８）に記載の方法。
【０１８０】
（５０）．第２のチャネルの送信を開始するタイミングは第１のチャネルの受信を完了するタイミングであるか、または第２のチャネルの送信を開始するタイミングと第１のチャネルの受信を完了するタイミングとの間の時間間隔がしきい値よりも短い、（４９）に記載の方法。
【０１８１】
（５１）．決定するステップは、第１のノードから送信されるべき次のデータが存在しない場合、第１のチャネルの終端部分が短縮されないと判断するステップと、第１のノードで受信されるべき次のデータが存在しないと第１のノードが通知された場合、第２のチャネルの終端部分が短縮されないと判断するステップとのうちの少なくとも１つを含む、（３７）に記載の方法。
【０１８２】
（５２）．第１のノードは、第２のノードから第１のチャネルを受信し、かつ／または第３のノードに第２のチャネルを送信し、第１のノードは、ユーザ機器（ＵＥ）およびｅＮＢ（evolved Node B）のうちの１つであり、第２のノードはＵＥおよびｅＮＢのうちの１つであり、第３のノードはＵＥおよびｅＮＢのうちの１つである、（３７）に記載の方法。
【０１８３】
（５３）．第１のチャネルは、ダウンリンクチャネル、アップリンクチャネル、およびサイドリンクチャネルのうちの１つであり、第２のチャネルは、ダウンリンクチャネル、アップリンクチャネル、およびサイドリンクチャネルのうちの１つである、（３７）に記載の方法。
【０１８４】
（５４）．短縮するステップは、決定に応じて、第１のチャネルおよび第２のチャネルのうちの少なくとも１つの少なくとも一部をパンクチャリングするステップ、または決定に応じて、第１のチャネルおよび第２のチャネルのうちの少なくとも１つの少なくとも一部をレートマッチングするステップのうちの１つを含む、（３７）に記載の方法。
【０１８５】
特定の実施形態の添付の図を参照して、本開示のいくつかの実施形態の例が上記で詳細に記載された。当然、構成要素または技法のすべての考えられる組み合わせを記載することは不可能なので、当業者は、本開示の範囲から逸脱することなく、上述された実施形態に様々な修正が行われてもよいことを諒解されよう。例えば、上記の実施形態は、３ＧＰＰネットワークの一部を参照して記載されたが、本開示の一実施形態は、同様の機能構成要素を有する、３ＧＰＰネットワークの後継などの同様のネットワークにも適用可能であることは容易に諒解されよう。
【０１８６】
したがって、詳細には、上記の説明および同封の図面および任意の添付の特許請求の範囲において使用される、３ＧＰＰという用語および関連付けられた用語または関連する用語は、現在または将来において、それに応じて解釈されるべきである。
【０１８７】
本開示は、ソフトウェア、ハードウェア、またはハードウェアと協働するソフトウェアによって実現することができる。上述された各実施形態の説明で使用された各機能ブロックは、集積回路としてのＬＳＩによって実現することができ、各実施形態に記載された各プロセスは、ＬＳＩによって制御されてもよい。それらはチップとして個別に形成されてもよく、１つのチップは機能ブロックの一部またはすべてを含むように形成されてもよい。それらは、それらに結合されたデータ入出力を含んでもよい。本明細書におけるＬＳＩは、集積度の違いに応じて、ＩＣ、システムＬＳＩ、スーパーＬＳＩ、またはウルトラＬＳＩと呼ばれてもよい。しかしながら、集積回路を実装する技法は、ＬＳＩに限定されず、専用回路または汎用プロセッサを使用して実現されてもよい。加えて、ＬＳＩの製造後にプログラムすることができるＦＰＧＡ（フィールドプログラマブルゲートアレイ）、またはＬＳＩ内部に配置された回路セルの接続および設定を再構成することができる再構成可能プロセッサが使用されてもよい。
【０１８８】
特に、開示された開示の修正形態および他の実施形態は、前述の説明および関連する図面に示された教示の利益を受ける当業者に思い浮かぶであろう。したがって、開示は、開示された特定の実施形態に限定されるべきではなく、修正形態および他の実施形態は、本開示の範囲内に含まれるものであることが理解されるべきである。本明細書では特定の用語が採用される場合があるが、それらは、一般的かつ説明的な意味でのみ使用され、限定の目的では使用されない。
【図１】
2019527993.tif 000004
【図２】
2019527993.tif 000005
【図３】
2019527993.tif 000006
【図４】
2019527993.tif 000007
【図５Ａ】
2019527993.tif 000008
【図５Ｂ】
2019527993.tif 000009
【図５Ｃ】
2019527993.tif 000010
【図５Ｄ】
2019527993.tif 000011
【図５Ｅ】
2019527993.tif 000012
【図５Ｆ】
2019527993.tif 000013
【図５Ｇ】
2019527993.tif 000014
【図５Ｈ】
2019527993.tif 000015
【図５Ｉ】
2019527993.tif 000016
【図５Ｊ】
2019527993.tif 000017
【図５Ｋ】
2019527993.tif 000018
【図６】
2019527993.tif 000019
【図７】
2019527993.tif 000020
【図８】
2019527993.tif 000021
【図９】
2019527993.tif 000022
【図１０】
2019527993.tif 000023
【図１１】
2019527993.tif 000024
【国際調査報告】
2019527993.tif 000025
2019527993.tif 000026